(57)【要約】      （修正有）【課題】  ブックとシートの２種類の読み取りが可能な画像読み取り装置において、汚れ検知の結果に基づいて適切な処理と効率よい読み取りを行う画像読み取り装置を提供する。【解決手段】  上部に原稿束を搬送する自動原稿搬送装置２０は、原稿束用の原稿台２１と、原稿を１枚ずつ分離してガイドコロ２３まで給紙する給紙コロ２２と、給紙された原稿を読み取り位置まで搬送するガイドコロ２３と、読み終わった原稿を原稿回収台に排紙する排紙コロ２４と、排紙原稿を収納する原稿回収台２５とを備え、下部にはシート用コンタクトガラス１と、ブック原稿用コンタクトガラス２と、原稿の白基準レベルとなる白基準板３と、汚れの基準レベルとなるごみ検知基準板６と、原稿の画像データを副走査方向に走査する走行体５と、走行体５に構成される原稿を照射するランプ７と、反射画像を反射する複数のミラー８と、反射画像を光電変換するＣＣＤ９とを備えて構成される。【選択図】図２
2005167855.tif 000002
【特許請求の範囲】
【請求項１】
露光走査ユニットが副走査方向に移動することによりコンタクトガラス上に載置された原稿の画情報を読み取るブックリードタイプと、前記露光走査ユニットは移動せず原稿を副走査方向に移動することにより該原稿の画情報を読み取るシートスルータイプとを備えた画像読取装置であって、
前記コンタクトガラスに付着した付着物をゴミとして検知する閾値レベルを設定するゴミ検知基準部と、シェーディング補正のための原稿の白基準を設定する白基準部とを備え、
前記露光走査ユニットにより前記白基準部を読み取って前記シェーディング補正動作を行った後、前記露光走査ユニットにより前記ゴミ検知基準部の閾値レベルと前記コンタクトガラスに付着した付着物のレベルを比較し、前記付着物のレベルが前記閾値レベル以下の場合、前記原稿の給紙を開始して画情報を読み取り、前記付着物のレベルが前記閾値レベル以上の場合、前記原稿の給紙および読み取りを中止し、ユーザに前記付着物を除去すべき旨を警告することを特徴とする画像読取装置。
【請求項２】
露光走査ユニットが副走査方向に移動することによりコンタクトガラス上に載置された原稿の画情報を読み取るブックリードタイプと、前記露光走査ユニットは移動せず原稿を副走査方向に移動することにより該原稿の画情報を読み取るシートスルータイプとを備えた画像読取装置であって、
前記コンタクトガラスに付着した付着物をゴミとして検知する閾値レベルを設定するゴミ検知基準部と、シェーディング補正のための原稿の白基準を設定する白基準部とを備え、
前記露光走査ユニットにより前記白基準部を読み取って前記シェーディング補正動作を行った後、前記露光走査ユニットにより前記ゴミ検知基準部の閾値レベルと前記コンタクトガラスに付着した付着物のレベルを比較し、前記付着物のレベルが前記閾値レベル以下の場合、前記原稿の給紙を開始して画情報を読み取り、前記付着物のレベルが前記閾値レベル以上であるが所定のレベルを超えない場合、前記原稿の給紙および読み取りを継続してユーザに前記付着物を除去すべき旨を警告することを特徴とする画像読取装置。
【請求項３】
前記シェーディング補正動作の所要時間をＴｓ、前記ゴミ検知基準部の閾値レベルと前記コンタクトガラスに付着した付着物のレベルを比較する所要時間をＴｌ、前記原稿の給紙を開始して原稿読取位置に到達するまでの時間をＴｄとした場合、画像読取要求を受けてから画情報を読み取るまでの時間Ｔは、Ｔ＝Ｔｓ＋Ｔｌ−Ｔｄであることを特徴とする請求項２に記載の画像読取装置。
【請求項４】
複数の原稿束の１枚目を読み取る前に前記露光走査ユニットにより前記ゴミ検知基準部の閾値レベルと前記コンタクトガラスに付着した付着物のレベルを比較し、前記付着物のレベルが前記閾値レベル以上の場合は、前記原稿の給紙および読み取りを中止し、前記原稿束の２枚目以降を読み取る前に前記付着物のレベルが前記閾値レベル以上の場合は、前記原稿の給紙および読み取りを継続してユーザに前記付着物を除去すべき旨を警告することを特徴とする請求項１に記載の画像読取装置。
【請求項５】
前記原稿の給紙および読み取りを中止する閾値レベルと前記原稿の給紙および読み取りを継続してユーザに警告を行う閾値レベルとを、それぞれ個別に設定可能としたことを特徴とする請求項１乃至４の何れか一項に記載の画像読取装置。
【請求項６】
前記請求項１乃至請求項４における画像読取装置の動作のうち、何れか１つを選択可能としたことを特徴とする請求項１乃至４の何れか一項に記載の画像読取装置。
【発明の詳細な説明】
【技術分野】
【０００１】
本発明は、画像読取装置に関し、さらに詳しくは、コンタクトガラスの汚れを検知して無駄な画像読み取り動作を回避する読み取り技術に関するものである。
【背景技術】
【０００２】
一般に、画像読取装置には、コンタクトガラス上に置かれた原稿を露光走査ユニットが走査することにより読み取りを行うブックリードタイプと、スキャナ部の露光走査ユニットは移動させず、原稿を移動させて読み取るシートスルータイプと呼ばれるものがある。このうち、特にシートスルータイプの読み取りにおいては、原稿がシートスルー用のコンタクトガラスと接触することなどで、シートスルー用コンタクトガラスが汚れることがある。この汚れにより、ごみのある部分に読み取り方向の「スジ」として読み取り画像に現れてしまう。
これを軽減するために、シェーディング処理と呼ばれる画像基準の補正処理後に、シートスルー用コンタクトガラスの上面にある汚れ基準板を数ライン分読み取り、その基準レベルと汚れレベルを比較することにより汚れを検知する。それによって、読み取りを停止し、ユーザにシートスルー用コンタクトガラスの清掃を促したり、ごみを検知した部分の画像補正を行うなどの処理が一般的に行われている。
たとえば、特開２００１−２５７８７７公報には、基準となる白板を読み取ることで、シェーディング補正を行いつつ、その読み取りデータをもとにコンタクトガラスの汚れを検知し、汚れが検知された場合には、原稿の読み取りをできないようにしたり、ユーザに対して清掃を促すことが開示されている。
【特許文献１】特開２００１−２５７８７７公報
【発明の開示】
【発明が解決しようとする課題】
【０００３】
しかし、上記シートスルー読み取りによる連続読み取りにおいては、生産性をいかに向上させるかが一つの課題であるが、汚れ検知や、その検知結果によって読み取りを中断するために生産性が落ちてしまうといった問題がある。
また、一般的にシートスルータイプの連続読み取りにおいては、生産性を上げるために、現在読み取りを行っている原稿の排紙と同時に次の原稿の給紙を行っているが、この場合に読み取りの中止を行うと再度読み取りを行うために原稿の差し戻しが必要になったり、給紙を繰り返すことで、原稿にダメージを与える可能性が高くなるなどの問題がある。
また特許文献１に開示されている従来例では、１つの白基準板でシェーディング補正と汚れ検知を行っている。一般的に、ブックリードタイプの読み取りとシートスルー読み取りの２つの読み取り方式をもつ画像読取装置では、画像の補正レベルを同一の物とするため、ブックリードタイプの読み取りで使用している基準板を読み取る動作が必要であるが、この点が考慮されていない。
本発明は、かかる課題に鑑み、特にブックリードタイプとシートスルータイプの２種類の読み取りが可能な画像読取装置において、汚れ検知を行ってその結果に基づいて適切な処理をおこない、且つ効率よく読み取りを行うための制御方式およびユーザインターフェースを備えた画像読取装置を提供することを目的とする。
【課題を解決するための手段】
【０００４】
本発明はかかる課題を解決するために、請求項１は、露光走査ユニットが副走査方向に移動することによりコンタクトガラス上に載置された原稿の画情報を読み取るブックリードタイプと、前記露光走査ユニットは移動せず原稿を副走査方向に移動することにより該原稿の画情報を読み取るシートスルータイプとを備えた画像読取装置であって、前記コンタクトガラスに付着した付着物をゴミとして検知する閾値レベルを設定するゴミ検知基準部と、シェーディング補正のための原稿の白基準を設定する白基準部とを備え、前記露光走査ユニットにより前記白基準部を読み取って前記シェーディング補正動作を行った後、前記露光走査ユニットにより前記ゴミ検知基準部の閾値レベルと前記コンタクトガラスに付着した付着物のレベルを比較し、前記付着物のレベルが前記閾値レベル以下の場合、前記原稿の給紙を開始して画情報を読み取り、前記付着物のレベルが前記閾値レベル以上の場合、前記原稿の給紙および読み取りを中止し、ユーザに前記付着物を除去すべき旨を警告することを特徴とする。
コントローラから読み取り準備要求が発行されると、画像読取装置はランプの点灯、各動作部のパラメータの設定などを行い、コントローラにメモリ要求を発行し、読み取った画像を貯えるメモリの確保をコントローラに要求する。また同時にシェーディング動作を開始する。コントローラは読み取りに必要なメモリの準備が完了したら、メモリ許可通知を画像読取装置に対して発行する。シェーディング動作が終了し、走行体が読み取り位置に到達したら、汚れ検知のための読み取りを行う。この時点でシートスルー用コンタクトガラスに汚れが検知された場合には、コントローラに対して汚れありを通知し、読み取り動作を終了する。コントローラはこの通知を受けてユーザに警告を行い清掃を促す。汚れが検出されなかった場合には、原稿の給紙動作、シートスルー動作を連続で行う。ただし、次の原稿の給紙は同時には行わない。
かかる発明によれば、汚れ検知によって汚れが検知された際に読み取りを停止するので、汚れ検知が終わってから給紙を開始するようになり、読み取り停止時にも読み取り原稿のダメージや、差し戻しを行わすに読み取りを再開することができる。
【０００５】
請求項２は、露光走査ユニットが副走査方向に移動することによりコンタクトガラス上に載置された原稿の画情報を読み取るブックリードタイプと、前記露光走査ユニットは移動せず原稿を副走査方向に移動することにより該原稿の画情報を読み取るシートスルータイプとを備えた画像読取装置であって、前記コンタクトガラスに付着した付着物をゴミとして検知する閾値レベルを設定するゴミ検知基準部と、シェーディング補正のための原稿の白基準を設定する白基準部とを備え、前記露光走査ユニットにより前記白基準部を読み取って前記シェーディング補正動作を行った後、前記露光走査ユニットにより前記ゴミ検知基準部の閾値レベルと前記コンタクトガラスに付着した付着物のレベルを比較し、前記付着物のレベルが前記閾値レベル以下の場合、前記原稿の給紙を開始して画情報を読み取り、前記付着物のレベルが前記閾値レベル以上であるが所定のレベルを超えない場合、前記原稿の給紙および読み取りを継続してユーザに前記付着物を除去すべき旨を警告することを特徴とする。
請求項１の発明において、汚れを検出した場合でも、その検出レベルが小さい場合には、読み取りを停止しないようにするものである。このようにすることによって、汚れ検知をおこない、且つ汚れが検出された際には読み取りを中止する場合でも、原稿の差し直しなどを行わずにそのまま読み取りを再開することができる。
かかる発明によれば、汚れ検知によって汚れが検知された際に、読み取りを停止する汚れのレベルを設定できるようにすることで、ユーザの必要とする画像レベルにあわせた生産性と読み取り画像を得ることができる。
【０００６】
請求項３は、前記シェーディング補正動作の所要時間をＴｓ、前記ゴミ検知基準部の閾値レベルと前記コンタクトガラスに付着した付着物のレベルを比較する所要時間をＴｌ、前記原稿の給紙を開始して原稿読取位置に到達するまでの時間をＴｄとした場合、画像読取要求を受けてから画情報を読み取るまでの時間Ｔは、Ｔ＝Ｔｓ＋Ｔｌ−Ｔｄであることを特徴とする。
シェーディング動作の所要時間をＴｓ、汚れ検知の所要時間をＴｌ、シートスルー動作を開始してから実際に原稿読み取り位置に到達するまでの時間をＴｄとするとき、シェーディング動作開始からＴ＝Ｔｓ＋Ｔｌ−Ｔｄだけ経過したときに、シートスルー動作を行う。このように各部を動作させることによって、汚れを検知した場合に警告のみを行い、読み取り動作を停止しない場合には、給紙動作に必要な時間をＴｋとすると、汚れ検知が完了してから読み取りを開始するよりも、Ｔｋ＋Ｔｄだけ読み取り間の時間を短縮でき、効率よく読み取り動作を行うことができる。
かかる発明によれば、ごみを検知した場合に警告のみを行い、読み取り動作を停止しない場合には、それぞれシェーディング動作の所要時間をＴｓ、汚れ検知の所要時間をＴｌ、シートスルー動作を開始してから実際に原稿読み取り位置に到達するまでの時間をＴｄ、給紙動作時間をＴｋとするとき、シェーディング動作開始からＴ＝Ｔｓ＋Ｔｌ−Ｔｄだけ経過したときに、シートスルー動作を行うようにすることによって、汚れ検知が完了してから読み取りを開始するよりも、Ｔｋ＋Ｔｄだけ読み取り間の時間を短縮でき、効率よく読み取り動作を行うことができる。
【０００７】
請求項４は、複数の原稿束の１枚目を読み取る前に前記露光走査ユニットにより前記ゴミ検知基準部の閾値レベルと前記コンタクトガラスに付着した付着物のレベルを比較し、前記付着物のレベルが前記閾値レベル以上の場合は、前記原稿の給紙および読み取りを中止し、前記原稿束の２枚目以降を読み取る前に前記付着物のレベルが前記閾値レベル以上の場合は、前記原稿の給紙および読み取りを継続してユーザに前記付着物を除去すべき旨を警告することを特徴とする。
読み取りを行う原稿などにもよるが、通常原稿束の一枚目を読み取る前に汚れが検出されなかった場合には、次の読み取りでシートスルー用コンタクトガラスの汚れの状態が大きく変わることはあまりない。そこで、連続して原稿を読み取る場合には、一枚目を読み取る前に行う汚れ検知の結果によって停止処理を行い、２枚目以降の読み取り前の汚れ検知では警告のみ行い、停止処理は行わないようにすることによって、連続に原稿を読み取る際に途中で読み取りを停止しない場合でも、異常画像になる可能性を軽減することができる。
かかる発明によれば、原稿束の一枚目を読み取る前の汚れ検知で汚れが検知された場合には、給紙および読み取り動作を中止し、２枚目移行の読み取り前の検知でごみが検知された場合には、読み取りは中止せずに警告のみ行い、読み取りを引き続き行うようにすることで、画像が異常となるのを低減しつつ、効率よく読み取り動作を行うことができる。
【０００８】
請求項５は、前記原稿の給紙および読み取りを中止する閾値レベルと前記原稿の給紙および読み取りを継続してユーザに警告を行う閾値レベルとを、それぞれ個別に設定可能としたことを特徴とする。
画像読取装置を扱うユーザによって、必要とする読み取り画像はそれぞれ異なる。多少の画像の汚れがあっても、清掃などの手間を低減したいユーザと、多少手間がかかっても画像の質を重視するユーザが存在する。そこで、それぞれのユーザが汚れ検知で読み取りを停止する汚れのレベルと、警告を発生する汚れのレベルを自由に変更できようにすることで、個々のユーザのニーズに合わせた画像読み取りおよび汚れ検知を行うことができる。
かかる発明によれば、読み取りを停止する汚れのレベルと、警告を行う汚れのレベルを設定できるようにすることで、ユーザのニーズに合わせた生産性と読み取り画像を得ることができる。
請求項６は、前記請求項１乃至請求項４における画像読取装置の動作のうち、何れか１つを選択可能としたことを特徴とする。
請求項１乃至４で示した読み取り方式は、それぞれ長所と短所を持ち合わせている。そこで、それぞれの読み取り方式を選択できるようにすることで、それぞれのユーザが、それぞれのニーズに合わせた画像レベルと画像読み取りの生産性を得ることができる。
かかる発明によれば、請求項１乃至４で示した制御方法を選択できるようにすることで、ユーザのニーズに合わせた生産性と読み取り画像を得ることができる。
【発明の効果】
【０００９】
以上記載のごとく請求項１の発明によれば、汚れ検知によって汚れが検知された際に読み取りを停止するので、汚れ検知が終わってから給紙を開始するようになり、読み取り停止時にも読み取り原稿のダメージや、差し戻しを行わすに読み取りを再開することができる。
また請求項２では、汚れ検知によって汚れが検知された際に、読み取りを停止する汚れのレベルを設定できるようにすることで、ユーザの必要とする画像レベルにあわせた生産性と読み取り画像を得ることができる。
また請求項３では、ごみを検知した場合に警告のみを行い、読み取り動作を停止しない場合には、それぞれシェーディング動作の所要時間をＴｓ、汚れ検知の所要時間をＴｌ、シートスルー動作を開始してから実際に原稿読み取り位置に到達するまでの時間をＴｄ、給紙動作時間をＴｋとするとき、シェーディング動作開始からＴ＝Ｔｓ＋Ｔｌ−Ｔｄだけ経過したときに、シートスルー動作を行うようにすることによって、汚れ検知が完了してから読み取りを開始するよりも、Ｔｋ＋Ｔｄだけ読み取り間の時間を短縮でき、効率よく読み取り動作を行うことができる。
また請求項４では、原稿束の一枚目を読み取る前の汚れ検知で汚れが検知された場合には、給紙および読み取り動作を中止し、２枚目移行の読み取り前の検知でごみが検知された場合には、読み取りは中止せずに警告のみ行い、読み取りを引き続き行うようにすることで、画像が異常となるのを低減しつつ、効率よく読み取り動作を行うことができる。
また請求項５では、読み取りを停止する汚れのレベルと、警告を行う汚れのレベルを設定できるようにすることで、ユーザのニーズに合わせた生産性と読み取り画像を得ることができる。
また請求項６では、請求項１乃至４で示した制御方法を選択できるようにすることで、ユーザのニーズに合わせた生産性と読み取り画像を得ることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明のシステム構成例を示す図である。このシステム１００は、動作要求を発行するアプリケーション層３０と、それを受けて各デバイスに動作要求を発行したり、各デバイスのマネージメントを行うコントローラ層３１と、コントローラ層３１からの要求を受けて実際の動作を行うデバイス層３２から構成されている。コントローラ層３１には画像を貯えておくメモリやハードディスクなどの画像記憶装置を制御する画像記録制御部３１ａがあり、デバイス層３２には画像読取装置３４や、画像出力装置３３が含まれた構成となっている。たとえば、操作部の読み取り開始ボタンを押すなどすると、アプリケーション層３０からコントローラ層３１に対して画像読取要求が送られる。コントローラ層３１はそれを受けて、画像読取装置３４に対し、要求された読み取り動作を行うための演算やレジスタセットなどの読み取り準備を行うように指示し、同時に読み取られた画像データを格納するためのメモリやハードディスクなどを準備するように、画像記録制御部３１ａに要求を送る。これに対し、画像読取装置３４および記録装置はそれぞれ読み取りが開始できる状態になった時点でコントローラ層３１に対し準備が完了した事を通知する。コントローラ層３１は両者の準備完了を受けて、画像読取装置３４に対し読み取り開始要求を発行する。画像読取装置３４はそれを受けて実際の読み取りを行い、記録装置に読み取ったデータを転送する。転送終了後、コントローラ層３１は、必要に応じて画像出力装置３３に出力要求を発行する。画像出力装置３３は、コントローラ層３１からの出力要求を受けると、記録装置に記憶された画像データをそれぞれの媒体に出力する。尚、図で細い矢印は要求、コマンドの流れを表し、太い矢印は画像データの流れを表す。
図２は本発明の実施形態に係る画像読取装置全体の概略図である。この画像読取装置１５０は、上部に原稿束を自動的に搬送する自動原稿搬送装置（以下、ＡＤＦと記す）２０があり、このＡＤＦ２０は、原稿束を載置する原稿台２１と、原稿を１枚ずつ分離してガイドコロ２３まで給紙する給紙コロ２２と、給紙された原稿を読み取り位置まで搬送するガイドコロ２３と、読み終わった原稿を原稿回収台に排紙する排紙コロ２４と、排紙された原稿を収納する原稿回収台２５とを備えて構成される。また、下部にはシートスルー原稿を読むために移動する原稿を接触しながら通過させるシートスルー用コンタクトガラス１と、ブックものの原稿を載置するブックリード用コンタクトガラス２と、原稿のシェーディング補正を行うための白基準レベルとなる白基準板３と、汚れの基準レベルとなるごみ検知基準板６と、原稿の画像データを副走査方向に走査する走行体５と、走行体５に構成される原稿を照射するランプ７と、反射画像を反射する複数のミラー８と、反射画像を光電変換するＣＣＤ９とを備えて構成される。
図３は図２の白基準板３付近の拡大図である。同じ構成要素には同じ参照番号が付されているので、重複する説明は省略する。
【００１１】
図２と図３を参照して画像読取装置１５０の動作を説明する。走行体５をシートスルー読取位置Ｐ１に固定し、原稿台２１に置かれた原稿を通過させる事で読み取るシートスルーモードと、コンタクトガラス２上の不動の原稿の下を走行体５を定速で移動させる事で原稿を読み取るブックリードモードでの読取が可能である。
ブックリードモードでは、ブックリード用コンタクトガラス２の下に移動する途中で白基準板読取位置Ｐ２に走行体５が達した時に白基準板３を読み取る事によってシェーディング補正を行う。シートスルーモードでは、原稿を読取位置に通過させる前にいったん走行体５を白基準板３の下Ｐ２に移動させ、白基準板３を読み取る事によってシェーディング補正を行う。その後、コンタクトガラス１の下に走行体５を移動させた後、シートスルー読取位置Ｐ１に戻す（以下、この走行体５の一連の動作をＤＦシェーディング動作と呼ぶ）。その後、原稿をシートスルー用コンタクトガラス１上を通過させる事によって読取を行う。通常この様に、ブックリードモードとシートスルーモードで同じ白基準板３を用いてシェーディング補正を行うことで、ブックリードモードとシートスルーモードのどちらで読み取りを行っても画質に差がないようになっている。
また、シートスルーモードでの読み取りの際には、読み取り中に次の原稿の読み取り要求が発行されている場合には、原稿の読み取りが終了した直後に次の読み取りのためのＤＦシェーディング動作を行う。原稿台２１上の複数枚の原稿を連続して読み取る際には、２枚目以降の原稿の読み取りではコントローラの読み取り開始要求を受けた際に、その直前の原稿読み取り終了直後に行われたＤＦシェーディング動作によって得られた補正データを用いてシェーディング補正を行う。
さらに、ＤＦシェーディング動作終了後、汚れ検知基準板６を読み取る。シートスルー用コンタクトガラス１にごみや汚れが付着していることにより、シートスルー用コンタクトガラス１上のごみや汚れを検知することができる。シートスルーモードでの原稿の移動に関しては、一般的に転写紙のサイズを選択するなどのために、まず給紙コロ２２によって原稿を読み取り位置手前まで移動し（以下、給紙動作とよぶ）その後、読み取りが可能なタイミングで読み取りのための移動を行う（以下、シートスルー動作と呼ぶ）。シートスルー動作後、原稿は原稿回収台２５へ排出される。
また、シートスルー読み取りの場合、読み取りの効率を上げるため、読み取り原稿の変倍率などが変化しない場合には、前の原稿が排紙されている間に、次の給紙動作を行うことができるのが一般的である。
【００１２】
図４は本発明のシートスルー読み取りにおける原稿１枚目読み取り時の動作タイミングチャートである。図の上から順にスキャナモータ駆動、汚れ検知、ＤＦ原稿通紙１枚目、ＤＦ原稿通紙２枚目、画像有効範囲を表し、ローレベルアクティブとして表している。この動作では、コントローラから読み取り準備要求が発行されると、画像読取装置はランプの点灯、各動作部のパラメータの設定などを行い、終了したらコントローラにメモリ要求を発行し、読み取った画像を貯えるメモリの確保をコントローラに要求する。また同時に、ＤＦシェーディング動作を開始して、スキャナモータが駆動する。コントローラは読み取りに必要なメモリの準備が完了したら、メモリ許可通知を画像読取装置に対して発行する。
ＤＦシェーディング動作が終了し、走行体が読み取り位置Ｐ１に到達したら、汚れ検知のための読み取りを行う。この時点でシートスルー用コンタクトガラス１にごみが検知された場合には、コントローラに対してごみありを通知し、読み取り動作を終了する。コントローラはこの通知を受けて、ユーザに警告を行い、清掃を促す。また、ごみが検出されなかった場合には、原稿の給紙動作、シートスルー動作を連続で行う。ただし、次の原稿の給紙は同時には行わない。
図５は本発明のシートスルー読み取りにおける連続読み取り時の動作タイミングチャートである。図の上から順にスキャナモータ駆動、汚れ検知、ＤＦ原稿通紙Ｎ枚目、ＤＦ原稿通紙Ｎ＋１枚目、画像有効範囲を表し、ローレベルアクティブとして表している。連続で原稿の読み取りが行われる際には、原稿読み取り中に次の原稿に対する読み取り準備要求がコントローラから画像読取装置に対して発行される。それに伴い、画像読取装置からコントローラに対してメモリ要求が発行され、コントローラはメモリの確保を行って、画像読取装置にメモリ許可通知を発行する。画像読取装置は、直前の読み取りが終了したら、すぐにＤＦシェーディング動作および汚れ検知をおこなう。汚れ検知とコントローラからのメモリ許可通知が揃った時点で次の原稿の給紙動作、およびシートスルー動作を行うことによって画像を読み取る。このようにすることによって、汚れ検知をおこない、かつごみが検出された際には読み取りを中止する場合でも、原稿の差し直しなどを行わずにそのまま読み取りを再開できるようになる。
また上記の実施形態において、ごみを検出した場合でも、その検出レベルが小さい場合には、読み取りを停止しないようにすることもできる。このようにすることによって、汚れ検知をおこない、かつごみが検出された際には読み取りを中止する場合でも、原稿の差し直しなどを行わずにそのまま読み取りを再開できるようになる。
【００１３】
図６は汚れ検知を行ってごみが検出された場合でも、警告を行うのみで読み取り動作を停止しない場合の動作を示すタイミングチャートである（原稿１枚目読み取り時）。図の上から順にスキャナモータ駆動、汚れ検知、ＤＦ原稿通紙１枚目、ＤＦ原稿通紙２枚目、画像有効範囲を表し、ローレベルアクティブとして表している。この場合には、コントローラから読み取り準備要求が発行されると、この場合には読み取りを停止させないので、まず給紙を開始する。その後、ランプの点灯、各動作部のパラメータの設定などを行い、終了したらコントローラにメモリ要求を発行し、読み取った画像を貯えるメモリの確保をコントローラに要求する。また同時に、ＤＦシェーディング動作を開始する。コントローラは読み取りに必要なメモリの準備が完了したら、メモリ許可通知を画像読取装置に対して発行する。
ここで、ＤＦシェーディング動作の所要時間をＴｓ、汚れ検知の所要時間をＴｌ、シートスルー動作を開始してから実際に原稿読み取り位置に到達するまでの時間をＴｄとすると、ＤＦシェーディング動作開始からＴ＝Ｔｓ＋Ｔｌ−Ｔｄだけ経過したときに、シートスルー動作を行う。
図７は汚れ検知を行ってごみが検出された場合でも、警告を行うのみで読み取り動作を停止しない場合の動作を示すタイミングチャートである（連続読み取り時）。図の上から順にスキャナモータ駆動、汚れ検知、ＤＦ原稿通紙Ｎ枚目、ＤＦ原稿通紙Ｎ＋１枚目、画像有効範囲を表し、ローレベルアクティブとして表している。次の原稿があり、連続して読み取りを行う場合には、前の原稿を排紙するのと同時に、次の原稿の給紙を行う。さらに、画像の読み取りが終了した時点で、ＤＦシェーディング動作および汚れ検知を開始し、コントローラからのメモリ許可通知を受けたら、ＤＦシェーディング動作開始から、Ｔ＝Ｔｓ＋Ｔｌ−Ｔｄだけ経過したときに次の原稿のシートスルー動作を開始する。
このように各部を動作させることによって、ごみを検知した場合に警告のみを行い、読み取り動作を停止しない場合には、給紙動作に必要な時間をＴｋとすると、汚れ検知が完了してから読み取りを開始するよりも、Ｔｋ＋Ｔｄだけ読み取り間の時間を短縮でき、効率よく読み取り動作を行うことができる。
【００１４】
図８は原稿１枚目読み取り時の動作タイミングチャートである。図の上から順にスキャナモータ駆動、汚れ検知、ＤＦ原稿通紙１枚目、ＤＦ原稿通紙２枚目、画像有効範囲を表し、ローレベルアクティブとして表している。原稿束の一枚目を読み取る前の汚れ検知でごみが検知された場合には、給紙および読み取り動作を中止し、２枚目移行の読み取り前の検知でごみが検知された場合には、読み取りは中止せずに、警告のみ行い読み取りを引き続き行うようにしたものである。
読み取りを行う原稿などにもよるが、通常原稿束の一枚目を読み取る前にごみが検出されなかった場合には、次の読み取りでシートスルー用コンタクトガラスのごみの状態が大きく変わることはあまりない。そこで、連続して原稿を読み取る場合には、一枚目を読み取る前に行う汚れ検知の結果によって停止処理を行い、２枚目以降の読み取り前の汚れ検知では警告のみ行い、停止処理は行わないようにすることによって、連続に原稿を読み取る際に途中で読み取りを停止しない場合でも、異常画像になる可能性を軽減することができる。
また、他の実施形態として、原稿読み取りを停止しする検知レベルと、警告のみを行う検知レベルをユーザがそれぞれ個別に設定できるようにしたものである。画像読取装置を扱うユーザによって、必要とする読み取り画像はそれぞれ異なる。多少の画像の汚れがあっても、清掃などの手間を低減したいユーザと、多少手間がかかっても画像の質を重視するユーザが存在する。そこで、それぞれのユーザが汚れ検知で読み取りを停止する汚れのレベルと警告を発生する汚れのレベルを自由に変更できようにすることで、個々のユーザのニーズに合わせた画像読み取りおよび汚れ検知を行うことができる。
また、他の実施形態として、上記の各制御のどれを用いて読み取りを行うかをユーザが設定できるようにしたものである。上記で示した読み取り方式はそれぞれ長所と短所を持ち合わせている。そこで、それぞれの読み取り方式を選択できるようにすることで、それぞれのユーザが、それぞれのニーズに合わせた画像レベルと画像読み取りの生産性を得ることができる。
【図面の簡単な説明】
【００１５】
【図１】本発明のシステム構成例を示す図。
【図２】本発明の実施形態に係る画像読取装置全体の概略図。
【図３】本発明の図２の白基準板３付近の拡大図。
【図４】本発明のシートスルー読み取りにおける原稿１枚目読み取り時の動作タイミングチャート。
【図５】本発明のシートスルー読み取りにおける連続読み取り時の動作タイミングチャート。
【図６】本発明の汚れ検知を行ってごみが検出された場合でも、警告を行うのみで読み取り動作を停止しない場合の動作を示すタイミングチャート。
【図７】本発明の汚れ検知を行ってごみが検出された場合でも、警告を行うのみで読み取り動作を停止しない場合の動作を示すタイミングチャート。
【図８】本発明の原稿１枚目読み取り時の動作タイミングチャート。
【符号の説明】
【００１６】
１  シートスルー用コンタクトガラス、２  ブックリード用コンタクトガラス、３  白基準板、５  走行体、６  ごみ検知基準板、７  ランプ、８  ミラー、９  ＣＣＤ、２０  自動原稿搬送装置、２１  原稿台、２２  給紙コロ、２３  ガイドコロ、２４  排紙コロ、２５  原稿回収台、１５０  画像読取装置
【図１】
2005167855.tif 000003
【図２】
2005167855.tif 000004
【図３】
2005167855.tif 000005
【図４】
2005167855.tif 000006
【図５】
2005167855.tif 000007
【図６】
2005167855.tif 000008
【図７】
2005167855.tif 000009
【図８】
2005167855.tif 000010